【手続補正書】
【提出日】平成19年4月3日(2007.4.3)
【手続補正１】
【補正対象書類名】特許請求の範囲
【補正対象項目名】全文
【補正方法】変更
【補正の内容】
【特許請求の範囲】
【請求項１】
情報ビット列に対して変調を行うことにより生成された変調後ビット列に対応して、記録トラックに沿って凸部（ランド）と凹部（ピット）とが連続して形成されている再生専用の光記録媒体において、
記録トラック上の所定の複数の位置に、所定の追記パタンが形成された追記領域を有しており、
上記追記領域内に形成された上記追記パタンは、ピット−ランド−ピットの形状となっており、
上記ピット−ランド−ピット追記パタンの長さは、変調後ビット列の最長符号長以下、上記変調後ビット列の最短符号長の３倍以上であり、
上記ピット−ランド−ピットの追記パタンの前後の変調後ビット列は、当該ピット−ランド−ピットの追記パタンの部分が、全てピットで構成されたパタンに置き換わったときにも、変調後ビット列の全体が変調の規則に従うように生成されており、
上記ピット−ランド−ピットの追記パタンの真ん中のランドは、再生のためのレーザパワーで照射しても物質的に変化はしないが、再生のためのレーザパワーよりも大きいパワーのレーザ光を照射すると、ピットの反射特性と同等となること
を特徴とする光記録媒体。
【請求項２】
上記所定の複数の位置に設定されている追記領域には、上記ピット−ランド−ピットの追記パタンが存在するか、その部分に全てピットで構成されたパタンが存在するかによって識別されるビット値により表された識別情報が、再生のためのレーザパワーよりも大きいパワーのレーザ光を照射することにより記録されていること
を特徴とする請求項１記載の光記録媒体。
【請求項３】
上記識別情報は、媒体毎の固有情報であること
を特徴とする請求項２記載の光記録媒体。
【請求項４】
上記追記領域に対して上記ピット−ランド−ピットの追記パタンを記録するための変調前の情報ビット列には、上記ピット−ランド−ピットの追記パタンを生成する追記パタン生成用ビット列と、各上記追記パタン生成用ビット列の前に設けられ、直前のビット列の変調の影響を後段に与えないようにするための変調終端ビット列と、各上記追記パタン生成用ビット列の前に設けられ、上記追記パタン生成用ビット列に対して上記変調を行うことにより形成されるパタンの極性を制御するための極性制御ビット列とが含められていること
を特徴とする請求項１記載の光記録媒体。
【請求項５】
上記変調は、１−７パリティ保存変調をして、ＮＲＩ-ＮＲＺＩ変換する変調であること
を特徴とする請求項１記載の光記録媒体。
【請求項６】
上記ピット−ランド−ピットの追記パタンは、次のうちの一つであること
を特徴とする請求項５記載の光記録媒体。
４Ｔ-２Ｔ-２Ｔ，２Ｔ-４Ｔ-２Ｔ，２Ｔ-２Ｔ-４Ｔ，２Ｔ-３Ｔ-３Ｔ，３Ｔ-２Ｔ-３Ｔ，３Ｔ-３Ｔ-２Ｔ，３Ｔ-２Ｔ-２Ｔ，２Ｔ-３Ｔ-２Ｔ，２Ｔ-２Ｔ-３Ｔ，２Ｔ-２Ｔ-２Ｔ
なお、Ｔは、１つの変調後ビット列のビット長である。
【請求項７】
上記ピット−ランド−ピットの追記パタンは、真ん中のランドのパタンが２Ｔであること
を特徴とする請求項５記載の光記録媒体。
なお、Ｔは、１つの変調後ビット列のビット長である。
【請求項８】
上記ピット−ランド−ピットの追記パタンは、３Ｔ-２Ｔ-３Ｔであること
を特徴とする請求項５記載の光記録媒体。
なお、Ｔは、１つの変調後ビット列のビット長である。
【請求項９】
上記情報ビット列には、上記３Ｔ-２Ｔ-３Ｔの追記パタンを生成するために、以下の１２ビットのビット列のうち１つが含められていること
を特徴とする請求項８記載の光記録媒体。
５４１，６４１，９４１，Ａ４１，Ｄ４１，Ｅ４１，Ｂ４１，Ｆ４１
なお、これらは１６進数で表している。
【請求項１０】
上記３Ｔ-２Ｔ-３Ｔの追記パタンを生成するための１２ビットの情報ビット列として、下記（Ａ）群又は（Ｂ）群のうち１つが選択され、
後段８ビットの“４１（１６進）”を１-７パリティ変調及びＮＲＩ-ＮＲＺＩ変換した後にピット−ランド−ピットとなるように、上記１２ビットの情報ビット列の２ビット目までをピット又はランドに対応付けた際の最後の部分がピットであるかランドであるかを判断し、その判断結果に応じて極性を反転するか極性を保持するかを判断し、
極性を反転する場合には下記（Ａ）群、極性を保持する場合には下記（Ｂ）群から１２ビットのビット列を選択すること
を特徴とする請求項９記載の光記録媒体。
（Ａ）群：５４１，６４１，９４１，Ａ４１，Ｄ４１，Ｅ４１
（Ｂ）群：Ｂ４１，Ｆ４１
なお、これらは１６進数で表している。
【請求項１１】
上記１２ビットの情報ビット列を下記（ａ）、（ｂ）、（ｃ）、（ｄ）のペアとしたときに、上記情報ビット列中の所定の位置に、下記ペアのうち一方のビット列を配置し、後段８ビットの“４１（１６進）”を１-７パリティ変調及びＮＲＩ-ＮＲＺＩ変換した後にピット−ランド−ピットとならない場合には、ペアのうちの他方のビット列を配置すること
を特徴とする請求項９記載の光記録媒体。
（Ａ）群        （Ｂ）群
（ａ）    ９４１          Ｂ４１
（ｂ）    Ａ４１          Ｂ４１
（ｃ）    Ｄ４１          Ｆ４１
（ｄ）    Ｅ４１          Ｆ４１
なお、これらは１６進数で表している。
【請求項１２】
上記ピット−ランド−ピットの追記パタンは、４Ｔ-２Ｔ-２Ｔであること
を特徴とする請求項５記載の光記録媒体。
なお、Ｔは、１つの変調後ビット列のビット長である。
【請求項１３】
上記情報ビット列には、上記４Ｔ-２Ｔ-２Ｔの追記パタンを生成するために、以下の１２ビットのビット列のうち１つが含められていること
を特徴とする請求項１２記載の光記録媒体。
５６３，６６３，９６３，Ａ６３，Ｄ６３，Ｅ６３，Ｂ６３，Ｆ６３
なお、これらは１６進数で表している。
【請求項１４】
上記４Ｔ-２Ｔ-２Ｔの追記パタンを生成するための１２ビットの情報ビット列として、下記（Ａ）群又は（Ｂ）群のうち１つが選択され、
後段８ビットの“６３（１６進）”を１-７パリティ変調及びＮＲＩ-ＮＲＺＩ変換した後にピット−ランド−ピットとなるように、上記１２ビットの情報ビット列の２ビット目までをピット又はランドに対応付けた際の最後の部分がピットであるかランドであるかを判断し、その判断結果に応じて極性を反転するか極性を保持するかを判断し、
極性を反転する場合には下記（Ａ）群、極性を保持する場合には下記（Ｂ）群から１２ビットのビット列を選択すること
を特徴とする請求項１３記載の光記録媒体。
（Ａ）群：５６３，６６３，９６３，Ａ６３，Ｄ６３，Ｅ６３
（Ｂ）群：Ｂ６３，Ｆ６３
なお、これらは１６進数で表している。
【請求項１５】
上記１２ビットの情報ビット列を下記（ａ）、（ｂ）、（ｃ）、（ｄ）のペアとしたときに、上記情報ビット列中の所定の位置に、下記ペアのうち一方のビット列を配置し、後段８ビットの“６３（１６進）”を１-７パリティ変調及びＮＲＩ-ＮＲＺＩ変換した後にピット−ランド−ピットとならない場合には、ペアのうちの他方のビット列を配置すること
を特徴とする請求項１３記載の光記録媒体。
（Ａ）群        （Ｂ）群
（ａ）    ９６３          Ｂ６３
（ｂ）    Ａ６３          Ｂ６３
（ｃ）    Ｄ６３          Ｆ６３
（ｄ）    Ｅ６３          Ｆ６３
なお、これらは１６進数で表している。
【請求項１６】
上記追記領域は、変調を行う単位をブロックとしたときに、ブロック中の所定の位置に配置されていること
を特徴とする請求項１記載の光記録媒体。
【請求項１７】
上記追記領域は、上記ブロック中の規定の制御情報を除いたときの最後尾に配置されていること
を特徴とする請求項１６記載の光記録媒体。
【請求項１８】
上記ブロック中の上記追記領域以外の情報ビット列は、ランダムデータであること
を特徴とする請求項１６記載の光記録媒体。
【請求項１９】
上記ピット−ランド−ピットの追記パタンの真ん中のランドは、再生のためのレーザパワーで照射しても物質的に変化はしないが、再生のためのレーザパワーよりも大きいパワーのレーザ光を照射すると、溶融すること
を特徴とする請求項１記載の光記録媒体。
【請求項２０】
上記ピット−ランド−ピットの追記パタンの真ん中のランドは、アルミニウム又は銀を含む合金で形成されていること
を特徴とする請求項１９記載の光記録媒体。
【請求項２１】
情報ビット列に対して変調を行うことにより生成された変調後ビット列に対応して、記録トラックに沿って凸部（ランド）と凹部（ピット）とが連続して形成されている再生専用の光記録媒体に対して、記録トラック中に当該光記録媒体の識別情報を記録するための管理方法であって、
記録トラック上の所定の複数の位置に、所定の追記パタンが形成される追記領域を設定し、
上記追記領域内に形成される上記追記パタンを、ピット−ランド−ピットの形状とし、  上記ピット−ランド−ピット追記パタンの長さを、変調後ビット列の最長符号長以下、上記変調後ビット列の最短符号長の３倍以上とし、
上記ピット−ランド−ピットの追記パタンの前後の変調後ビット列を、当該ピット−ランド−ピットの追記パタンの部分が、全てピットで構成されたパタンに置き換わったときにも、変調後ビット列の全体が変調の規則に従うように生成し、
上記ピット−ランド−ピットの追記パタンの真ん中のランドを、再生のためのレーザパワーで照射しても物質的に変化はしないが、再生のためのレーザパワーよりも大きいパワーのレーザ光を照射すると、ピットの反射特性と同等となるような材料とし、
上記所定の複数の位置に設定されている追記領域に対して、上記ピット−ランド−ピットの追記パタンが存在するか、その部分に全てピットで構成されたパタンが存在するかによって識別されるビット値により表された識別情報を、再生のためのレーザパワーよりも大きいパワーのレーザ光を照射することにより記録すること
を特徴とする再生専用媒体の識別情報管理方法。
【請求項２２】
情報ビット列に対して変調を行うことにより生成された変調後ビット列に対応して、記録トラックに沿って凸部（ランド）と凹部（ピット）とが連続して形成されている再生専用の光記録媒体を製造する光記録媒体製造装置において、
記録トラック上の所定の複数の位置に、所定の追記パタンが形成された追記領域を有しており、上記追記領域内に形成された上記追記パタンは、ピット−ランド−ピットの形状となっており、上記ピット−ランド−ピット追記パタンの長さは、変調後ビット列の最長符号長以下、上記変調後ビット列の最短符号長の３倍以上であり、上記ピット−ランド−ピットの追記パタンの前後の変調後ビット列は、当該ピット−ランド−ピットの追記パタンの部分が、全てピットで構成されたパタンに置き換わったときにも、変調後ビット列の全体が変調の規則に従うように生成されている原盤から生成されたスタンパを用いて、
上記ピット−ランド−ピットの追記パタンの真ん中のランドが、再生のためのレーザパワーで照射しても物質的に変化はしないが、再生のためのレーザパワーよりも大きいパワーのレーザ光を照射すると、ピットの反射特性と同等となる光記録媒体を製造すること
を特徴とする光記録媒体製造装置。
【請求項２３】
情報ビット列に対して変調を行うことにより生成された変調後ビット列に対応して、記録トラックに沿って凸部（ランド）と凹部（ピット）とが連続して形成されている再生専用の光記録媒体を製造する光記録媒体製造方法において、
記録トラック上の所定の複数の位置に、所定の追記パタンが形成された追記領域を有しており、上記追記領域内に形成された上記追記パタンは、ピット−ランド−ピットの形状となっており、上記ピット−ランド−ピット追記パタンの長さは、変調後ビット列の最長符号長以下、上記変調後ビット列の最短符号長の３倍以上であり、上記ピット−ランド−ピットの追記パタンの前後の変調後ビット列は、当該ピット−ランド−ピットの追記パタンの部分が、全てピットで構成されたパタンに置き換わったときにも、変調後ビット列の全体が変調の規則に従うように生成されている原盤から生成されたスタンパを用いて、
上記ピット−ランド−ピットの追記パタンの真ん中のランドが、再生のためのレーザパワーで照射しても物質的に変化はしないが、再生のためのレーザパワーよりも大きいパワーのレーザ光を照射すると、ピットの反射特性と同等となる光記録媒体を製造すること
を特徴とする光記録媒体製造方法。
【請求項２４】
情報ビット列に対して変調を行うことにより生成された変調後ビット列に対応して、記録トラックに沿って凸部（ランド）と凹部（ピット）とが連続して形成されている再生専用の光記録媒体であって、記録トラック上の所定の複数の位置に、所定の追記パタンが形成された追記領域を有しており、上記追記領域内に形成された上記追記パタンは、ピット−ランド−ピットの形状となっており、上記ピット−ランド−ピット追記パタンの長さは、変調後ビット列の最長符号長以下、上記変調後ビット列の最短符号長の３倍以上であり、上記ピット−ランド−ピットの追記パタンの前後の変調後ビット列は、当該ピット−ランド−ピットの追記パタンの部分が、全てピットで構成されたパタンに置き換わったときにも、変調後ビット列の全体が変調の規則に従うように生成されており、上記ピット−ランド−ピットの追記パタンの真ん中のランドは、再生のためのレーザパワーで照射しても物質的に変化はしないが、再生のためのレーザパワーよりも大きいパワーのレーザ光を照射すると、ピットの反射特性と同等となる再生専用の光記録媒体の記録トラックに対して、再生のためのレーザパワーよりも大きいパワーのレーザ光を照射してデータの書き込みを行う記録手段と、
上記追記領域に書き込む識別情報を発生する識別情報発生手段とを備え、
上記記録手段は、上記光記録媒体を再生しながら上記追記領域の追記パタンを順次検出し、追記パタンを検出すると、上記識別情報発生手段から発生された識別情報に応じて、検出した当該追記パタンに対して再生のためのレーザパワーよりも大きいパワーのレーザ光を照射し、当該追記パタンのランド部分の反射特性を変化させること
を特徴とする識別情報記録装置。
【請求項２５】
情報ビット列に対して変調を行うことにより生成された変調後ビット列に対応して、記録トラックに沿って凸部（ランド）と凹部（ピット）とが連続して形成されている再生専用の光記録媒体であって、記録トラック上の所定の複数の位置に、所定の追記パタンが形成された追記領域を有しており、上記追記領域内に形成された上記追記パタンは、ピット−ランド−ピットの形状となっており、上記ピット−ランド−ピット追記パタンの長さは、変調後ビット列の最長符号長以下、上記変調後ビット列の最短符号長の３倍以上であり、上記ピット−ランド−ピットの追記パタンの前後の変調後ビット列は、当該ピット−ランド−ピットの追記パタンの部分が、全てピットで構成されたパタンに置き換わったときにも、変調後ビット列の全体が変調の規則に従うように生成されており、上記ピット−ランド−ピットの追記パタンの真ん中のランドは、再生のためのレーザパワーで照射しても物質的に変化はしないが、再生のためのレーザパワーよりも大きいパワーのレーザ光を照射すると、ピットの反射特性と同等となる再生専用の光記録媒体の記録トラックから、記録情報を再生しながら上記追記領域の追記パタンを順次検出してゆき、
追記パタンを検出すると、識別情報を発生し、
発生した識別情報に応じて、検出した当該追記パタンに対して再生のためのレーザパワーよりも大きいパワーのレーザ光を照射し、当該追記パタンのランド部分の反射特性を変化させること
を特徴とする識別情報記録方法。
【請求項２６】
情報ビット列に対して変調を行うことにより生成された変調後ビット列に対応して、記録トラックに沿って凸部（ランド）と凹部（ピット）とが連続して形成されている再生専用の光記録媒体であって、記録トラック上の所定の複数の位置に、所定の追記パタンが形成された追記領域を有しており、上記追記領域内に形成された上記追記パタンは、ピット−ランド−ピットの形状となっており、上記ピット−ランド−ピット追記パタンの長さは、変調後ビット列の最長符号長以下、上記変調後ビット列の最短符号長の３倍以上であり、上記ピット−ランド−ピットの追記パタンの前後の変調後ビット列は、当該ピット−ランド−ピットの追記パタンの部分が、全てピットで構成されたパタンに置き換わったときにも、変調後ビット列の全体が変調の規則に従うように生成されている光記録媒体を再生する再生手段を備え、
上記再生手段は、上記光記録媒体の各追記領域に形成されている上記追記パタンを読み出し、読み出した上記追記パタンが、ピット−ランド−ピットのパタンとなっているか、全てピットで構成されたパタンとなっているかを判断して、その追記領域のビット値を検出し、上記光記録媒体の複数の位置の追記領域から検出されたビット値に基づき、上記光記録媒体に書き込まれている識別情報を生成すること
を特徴とする光記録媒体再生装置。
【請求項２７】
情報ビット列に対して変調を行うことにより生成された変調後ビット列に対応して、記録トラックに沿って凸部（ランド）と凹部（ピット）とが連続して形成されている再生専用の光記録媒体であって、記録トラック上の所定の複数の位置に、所定の追記パタンが形成された追記領域を有しており、上記追記領域内に形成された上記追記パタンは、ピット−ランド−ピットの形状となっており、上記ピット−ランド−ピット追記パタンの長さは、変調後ビット列の最長符号長以下、上記変調後ビット列の最短符号長の３倍以上であり、上記ピット−ランド−ピットの追記パタンの前後の変調後ビット列は、当該ピット−ランド−ピットの追記パタンの部分が、全てピットで構成されたパタンに置き換わったときにも、変調後ビット列の全体が変調の規則に従うように生成されている光記録媒体を再生し、
上記光記録媒体の各追記領域に形成されている上記追記パタンを読み出し、
読み出した上記追記パタンが、ピット−ランド−ピットのパタンとなっているか、全てピットで構成されたパタンとなっているかを判断して、その追記領域のビット値を検出し、
上記光記録媒体の複数の位置の追記領域から検出されたビット値に基づき、上記光記録媒体に書き込まれている識別情報を生成すること
を特徴とする光記録媒体再生方法。
【手続補正２】
【補正対象書類名】明細書
【補正対象項目名】００２５
【補正方法】変更
【補正の内容】
【００２５】
本発明は、情報ビット列に対して変調を行うことにより生成された変調後ビット列に対応して、記録トラックに沿って凸部（ランド）と凹部（ピット）とが連続して形成されている再生専用の光記録媒体において、記録トラック上の所定の複数の位置に、所定の追記パタンが形成された追記領域を有しており、上記追記領域内に形成された上記追記パタンは、ピット−ランド−ピットの形状となっており、上記ピット−ランド−ピット追記パタンの長さは、変調後ビット列の最長符号長以下、上記変調後ビット列の最短符号長の３倍以上であり、上記ピット−ランド−ピットの追記パタンの前後の変調後ビット列は、当該ピット−ランド−ピットの追記パタンの部分が、全てピットで構成されたパタンに置き換わったときにも、変調後ビット列の全体が変調の規則に従うように生成されており、上記ピット−ランド−ピットの追記パタンの真ん中のランドは、再生のためのレーザパワーで照射しても物質的に変化はしないが、再生のためのレーザパワーよりも大きいパワーのレーザ光を照射すると、ピットの反射特性と同等となることを特徴とする。
【手続補正３】
【補正対象書類名】明細書
【補正対象項目名】００２６
【補正方法】変更
【補正の内容】
【００２６】
また、本発明は、情報ビット列に対して変調を行うことにより生成された変調後ビット列に対応して、記録トラックに沿って凸部（ランド）と凹部（ピット）とが連続して形成されている再生専用の光記録媒体に対して、記録トラック中に当該光記録媒体の識別情報を記録するための管理方法であって、記録トラック上の所定の複数の位置に、所定の追記パタンが形成される追記領域を設定し、上記追記領域内に形成される上記追記パタンを、ピット−ランド−ピットの形状とし、上記ピット−ランド−ピット追記パタンの長さを、変調後ビット列の最長符号長以下、上記変調後ビット列の最短符号長の３倍以上とし、上記ピット−ランド−ピットの追記パタンの前後の変調後ビット列を、当該ピット−ランド−ピットの追記パタンの部分が、全てピットで構成されたパタンに置き換わったときにも、変調後ビット列の全体が変調の規則に従うように生成し、上記ピット−ランド−ピットの追記パタンの真ん中のランドを、再生のためのレーザパワーで照射しても物質的に変化はしないが、再生のためのレーザパワーよりも大きいパワーのレーザ光を照射すると、ピットの反射特性と同等となるような材料とし、上記所定の複数の位置に設定されている追記領域に対して、上記ピット−ランド−ピットの追記パタンが存在するか、その部分に全てピットで構成されたパタンが存在するかによって識別されるビット値により表された識別情報を、再生のためのレーザパワーよりも大きいパワーのレーザ光を照射することにより記録することを特徴とする。
【手続補正４】
【補正対象書類名】明細書
【補正対象項目名】００２７
【補正方法】変更
【補正の内容】
【００２７】
また、本発明は、情報ビット列に対して変調を行うことにより生成された変調後ビット列に対応して、記録トラックに沿って凸部（ランド）と凹部（ピット）とが連続して形成されている再生専用の光記録媒体を製造する光記録媒体製造装置において、記録トラック上の所定の複数の位置に、所定の追記パタンが形成された追記領域を有しており、上記追記領域内に形成された上記追記パタンは、ピット−ランド−ピットの形状となっており、上記ピット−ランド−ピット追記パタンの長さは、変調後ビット列の最長符号長以下、上記変調後ビット列の最短符号長の３倍以上であり、上記ピット−ランド−ピットの追記パタンの前後の変調後ビット列は、当該ピット−ランド−ピットの追記パタンの部分が、全てピットで構成されたパタンに置き換わったときにも、変調後ビット列の全体が変調の規則に従うように生成されている原盤から生成されたスタンパを用いて、上記ピット−ランド−ピットの追記パタンの真ん中のランドが、再生のためのレーザパワーで照射しても物質的に変化はしないが、再生のためのレーザパワーよりも大きいパワーのレーザ光を照射すると、ピットの反射特性と同等となる光記録媒体を製造することを特徴とする。
【手続補正５】
【補正対象書類名】明細書
【補正対象項目名】００２８
【補正方法】変更
【補正の内容】
【００２８】
また、本発明は、情報ビット列に対して変調を行うことにより生成された変調後ビット列に対応して、記録トラックに沿って凸部（ランド）と凹部（ピット）とが連続して形成されている再生専用の光記録媒体を製造する光記録媒体製造方法において、記録トラック上の所定の複数の位置に、所定の追記パタンが形成された追記領域を有しており、上記追記領域内に形成された上記追記パタンは、ピット−ランド−ピットの形状となっており、上記ピット−ランド−ピット追記パタンの長さは、変調後ビット列の最長符号長以下、上記変調後ビット列の最短符号長の３倍以上であり、上記ピット−ランド−ピットの追記パタンの前後の変調後ビット列は、当該ピット−ランド−ピットの追記パタンの部分が、全てピットで構成されたパタンに置き換わったときにも、変調後ビット列の全体が変調の規則に従うように生成されている原盤から生成されたスタンパを用いて、上記ピット−ランド−ピットの追記パタンの真ん中のランドが、再生のためのレーザパワーで照射しても物質的に変化はしないが、再生のためのレーザパワーよりも大きいパワーのレーザ光を照射すると、ピットの反射特性と同等となる光記録媒体を製造することを特徴とする。
【手続補正６】
【補正対象書類名】明細書
【補正対象項目名】００２９
【補正方法】変更
【補正の内容】
【００２９】
また、本発明に係る識別情報記録装置は、情報ビット列に対して変調を行うことにより生成された変調後ビット列に対応して、記録トラックに沿って凸部（ランド）と凹部（ピット）とが連続して形成されている再生専用の光記録媒体であって、記録トラック上の所定の複数の位置に、所定の追記パタンが形成された追記領域を有しており、上記追記領域内に形成された上記追記パタンは、ピット−ランド−ピットの形状となっており、上記ピット−ランド−ピット追記パタンの長さは、変調後ビット列の最長符号長以下、上記変調後ビット列の最短符号長の３倍以上であり、上記ピット−ランド−ピットの追記パタンの前後の変調後ビット列は、当該ピット−ランド−ピットの追記パタンの部分が、全てピットで構成されたパタンに置き換わったときにも、変調後ビット列の全体が変調の規則に従うように生成されており、上記ピット−ランド−ピットの追記パタンの真ん中のランドは、再生のためのレーザパワーで照射しても物質的に変化はしないが、再生のためのレーザパワーよりも大きいパワーのレーザ光を照射すると、ピットの反射特性と同等となる再生専用の光記録媒体の記録トラックに対して、再生のためのレーザパワーよりも大きいパワーのレーザ光を照射してデータの書き込みを行う記録手段と、上記追記領域に書き込む識別情報を発生する識別情報発生手段とを備え、上記記録手段は、上記光記録媒体を再生しながら上記追記領域の追記パタンを順次検出し、追記パタンを検出すると、上記識別情報発生手段から発生された識別情報に応じて、検出した当該追記パタンに対して再生のためのレーザパワーよりも大きいパワーのレーザ光を照射し、当該追記パタンのランド部分の反射特性を変化させることを特徴とする。
【手続補正７】
【補正対象書類名】明細書
【補正対象項目名】００３０
【補正方法】変更
【補正の内容】
【００３０】
また、本発明に係る識別情報記録方法は、情報ビット列に対して変調を行うことにより生成された変調後ビット列に対応して、記録トラックに沿って凸部（ランド）と凹部（ピット）とが連続して形成されている再生専用の光記録媒体であって、記録トラック上の所定の複数の位置に、所定の追記パタンが形成された追記領域を有しており、上記追記領域内に形成された上記追記パタンは、ピット−ランド−ピットの形状となっており、上記ピット−ランド−ピット追記パタンの長さは、変調後ビット列の最長符号長以下、上記変調後ビット列の最短符号長の３倍以上であり、上記ピット−ランド−ピットの追記パタンの前後の変調後ビット列は、当該ピット−ランド−ピットの追記パタンの部分が、全てピットで構成されたパタンに置き換わったときにも、変調後ビット列の全体が変調の規則に従うように生成されており、上記ピット−ランド−ピットの追記パタンの真ん中のランドは、再生のためのレーザパワーで照射しても物質的に変化はしないが、再生のためのレーザパワーよりも大きいパワーのレーザ光を照射すると、ピットの反射特性と同等となる再生専用の光記録媒体の記録トラックから、記録情報を再生しながら上記追記領域の追記パタンを順次検出してゆき、追記パタンを検出すると、識別情報を発生し、発生した識別情報に応じて、検出した当該追記パタンに対して再生のためのレーザパワーよりも大きいパワーのレーザ光を照射し、当該追記パタンのランド部分の反射特性を変化させることを特徴とする。
【手続補正８】
【補正対象書類名】明細書
【補正対象項目名】００３１
【補正方法】変更
【補正の内容】
【００３１】
また、本発明に係る光記録媒体再生装置は、情報ビット列に対して変調を行うことにより生成された変調後ビット列に対応して、記録トラックに沿って凸部（ランド）と凹部（ピット）とが連続して形成されている再生専用の光記録媒体であって、記録トラック上の所定の複数の位置に、所定の追記パタンが形成された追記領域を有しており、上記追記領域内に形成された上記追記パタンは、ピット−ランド−ピットの形状となっており、上記ピット−ランド−ピット追記パタンの長さは、変調後ビット列の最長符号長以下、上記変調後ビット列の最短符号長の３倍以上であり、上記ピット−ランド−ピットの追記パタンの前後の変調後ビット列は、当該ピット−ランド−ピットの追記パタンの部分が、全てピットで構成されたパタンに置き換わったときにも、変調後ビット列の全体が変調の規則に従うように生成されている光記録媒体を再生する再生手段を備え、上記再生手段は、上記光記録媒体の各追記領域に形成されている上記追記パタンを読み出し、読み出した上記追記パタンが、ピット−ランド−ピットのパタンとなっているか、全てピットで構成されたパタンとなっているかを判断して、その追記領域のビット値を検出し、上記光記録媒体の複数の位置の追記領域から検出されたビット値に基づき、上記光記録媒体に書き込まれている識別情報を生成することを特徴とする。
【手続補正９】
【補正対象書類名】明細書
【補正対象項目名】００３２
【補正方法】変更
【補正の内容】
【００３２】
さらに、本発明に係る光記録媒体再生方法は、情報ビット列に対して変調を行うことにより生成された変調後ビット列に対応して、記録トラックに沿って凸部（ランド）と凹部（ピット）とが連続して形成されている再生専用の光記録媒体であって、記録トラック上の所定の複数の位置に、所定の追記パタンが形成された追記領域を有しており、上記追記領域内に形成された上記追記パタンは、ピット−ランド−ピットの形状となっており、上記ピット−ランド−ピット追記パタンの長さは、変調後ビット列の最長符号長以下、上記変調後ビット列の最短符号長の３倍以上であり、上記ピット−ランド−ピットの追記パタンの前後の変調後ビット列は、当該ピット−ランド−ピットの追記パタンの部分が、全てピットで構成されたパタンに置き換わったときにも、変調後ビット列の全体が変調の規則に従うように生成されている光記録媒体を再生し、上記光記録媒体の各追記領域に形成されている上記追記パタンを読み出し、読み出した上記追記パタンが、ピット−ランド−ピットのパタンとなっているか、全てピットで構成されたパタンとなっているかを判断して、その追記領域のビット値を検出し、上記光記録媒体の複数の位置の追記領域から検出されたビット値に基づき、上記光記録媒体に書き込まれている識別情報を生成することを特徴とする。
【手続補正１０】
【補正対象書類名】明細書
【補正対象項目名】００３３
【補正方法】変更
【補正の内容】
【００３３】
本発明では、変調が採用された再生専用の光記録媒体の記録トラック中の複数の所定の領域に、ピット−ランド−ピットの形状とされた追記パタンを形成する。追記パタンは、その長さが変調後ビット列の最長符号長以下、上記変調後ビット列の最短符号長の３倍以上であり、追記パタンの前後の変調後ビット列は、当該ピット−ランド−ピットの追記パタンの部分が、全てピットで構成されたパタンに置き換わったときにも、変調後ビット列の全体が変調の規則に従うように生成されており、追記パタンの真ん中のランドは、再生のためのレーザパワーで照射しても物質的に変化はしないが、再生のためのレーザパワーよりも大きいパワーのレーザ光を照射すると、ピットの反射特性と同等とされている。